(57)【要約】【課題】形状の転写性が低下せず、また、振動等の外乱による、光ディスクと光ディスク用レンズとの直接的な接触を防ぐことの可能な光ディスク用レンズを得る。【解決手段】光源側に形成された光学機能面である第１面と、光ディスク側に形成された光学機能面である第２面と、周囲にフランジ部が形成され、フランジ部は、第２面の側に、光軸に対し垂直な少なくとも２つの面を有することを特徴とする光ディスク用レンズ。【選択図】図２
2007334930.tif 000002
【特許請求の範囲】
【請求項１】
ＮＡ値が０．８以上、０．９以下の単玉の光ディスク用レンズであって、
前記光ディスク用レンズは、光源側に形成された光学機能面である第１面と、光ディスク側に形成された光学機能面である第２面と、前記光学機能面の周囲にフランジ部が形成され、前記フランジ部は、前記第２面の側に、光軸に対し垂直な少なくとも２つの面を有することを特徴とする光ディスク用レンズ。
【請求項２】
前記フランジ部に形成された面のうち、前記光学機能面に連なる面同士の光軸方向の厚さをｔ１とし、その周囲に形成された面同士の光軸方向の厚さをｔ２としたとき、
ｔ１＞ｔ２
を満足するよう形成されていることを特徴とする請求項１に記載の光ディスク用レンズ。
【請求項３】
前記第１面と、前記第１面に連なるフランジ部の面との間に、凹部が形成されていることを特徴とする請求項１又は２に記載の光ディスク用レンズ。
【請求項４】
前記第１面と、フランジ部とがそれぞれの延長線で連続的に形成されていることを特徴とする請求項１又は２に記載の光ディスク用レンズ。
【請求項５】
前記第１面に連なるフランジ部が、保持部材との接合位置決めに用いられることを特徴とする請求項１〜４のいずれか１項に記載の光ディスク用レンズ。
【請求項６】
前記第２面の側のフランジ部に形成された２つの面のうち、少なくともいずれか１つの面に衝撃緩衝部材を設けたことを特徴とする請求項１〜５のいずれか１項に記載の光ディスク用レンズ。
【請求項７】
前記衝撃緩衝部材は、貼付られたものであることを特徴とする請求項６に記載の光ディスク用レンズ。
【請求項８】
前記衝撃緩衝部材は、塗布されたものであることを特徴とする請求項６に記載の光ディスク用レンズ。
【請求項９】
前記衝撃緩衝部材の光ディスク側の高さが、前記第２面より高く形成されていることを特徴とする請求項６〜８のいずれか１項に記載の光ディスク用レンズ。
【発明の詳細な説明】
【技術分野】
【０００１】
本発明は、光ディスク用レンズに関するものである。
【背景技術】
【０００２】
光ディスクへの情報の記録や、光ディスクに記録された情報の再生に用いられる、光ディスク用の対物レンズ（以下、光ディスク用レンズと称す）は、記録メディアである光ディスクの大容量化に伴って、より高いＮＡ値が必要とされるようになっている。
【０００３】
一方で、低コスト化するために、単玉化が図られ、特に樹脂材料を用いて射出成形により、単玉の光ディスク用レンズを得ることが要望されている。
【０００４】
このような、単玉の光ディスク用レンズとして、光学機能面の周囲にフランジ部を形成した光ディスク用レンズが知られている（例えば、特許文献１参照）。
【特許文献１】意匠登録第１１４７２７０号公報
【発明の開示】
【発明が解決しようとする課題】
【０００５】
しかしながら、高いＮＡ値を有する光ディスク用レンズを単玉で形成する場合、光源側に形成する面の曲率が非常に大きくなり、面が大きく突出した形状となる。このため射出成形に際し、転写性が悪化する問題がある。
【０００６】
更に、異なる規格の光ディスクに対する互換性を有するようにした場合、保護層の厚みの厚い光ディスクに対しては、光ディスクと光ディスク用レンズの間の距離であるワーキングディスタンスが非常に小さくなり、振動等の外乱によって、光ディスクと光ディスク用レンズが接触してしまう危険性を有する問題がある。
【０００７】
本発明は上記問題に鑑み、良好な面精度が確保できると共に、振動等の外乱による、光ディスクと光ディスク用レンズとの直接的な接触を防ぐことの可能な光ディスク用レンズを得ることを目的とするものである。
【課題を解決するための手段】
【０００８】
上記の目的は、下記に記載する発明により達成される。
【０００９】
１．ＮＡ値が０．８以上、０．９以下の単玉の光ディスク用レンズであって、前記光ディスク用レンズは、光源側に形成された光学機能面である第１面と、光ディスク側に形成された光学機能面である第２面と、前記光学機能面の周囲にフランジ部が形成され、前記フランジ部は、前記第２面の側に、光軸に対し垂直な少なくとも２つの面を有することを特徴とする光ディスク用レンズ。
【００１０】
２．前記フランジ部に形成された面のうち、前記光学機能面に連なる面同士の光軸方向の厚さをｔ１とし、その周囲に形成された面同士の光軸方向の厚さをｔ２としたとき、
ｔ１＞ｔ２
を満足するよう形成されていることを特徴とする１に記載の光ディスク用レンズ。
【００１１】
３．前記第１面と、前記第１面に連なるフランジ部の面との間に、凹部が形成されていることを特徴とする１又は２に記載の光ディスク用レンズ。
【００１２】
４．前記第１面と、フランジ部とがそれぞれの延長線で連続的に形成されていることを特徴とする１又は２に記載の光ディスク用レンズ。
【００１３】
５．前記第１面に連なるフランジ部が、保持部材との接合位置決めに用いられることを特徴とする１〜４のいずれかに記載の光ディスク用レンズ。
【００１４】
６．前記第２面の側のフランジ部に形成された２つの面のうち、少なくともいずれか１つの面に衝撃緩衝部材を設けたことを特徴とする１〜５のいずれかに記載の光ディスク用レンズ。
【００１５】
７．前記衝撃緩衝部材は、貼付られたものであることを特徴とする６に記載の光ディスク用レンズ。
【００１６】
８．前記衝撃緩衝部材は、塗布されたものであることを特徴とする６に記載の光ディスク用レンズ。
【００１７】
９．前記衝撃緩衝部材の光ディスク側の高さが、前記第２面より高く形成されていることを特徴とする６〜８のいずれかに記載の光ディスク用レンズ。
【発明の効果】
【００１８】
本発明によれば、良好な面精度が確保できると共に、振動等の外乱による、光ディスクと光ディスク用レンズとの直接的な接触を防ぐことの可能な、高ＮＡ値を有する光ディスク用レンズを得ることが可能となる。
【発明を実施するための最良の形態】
【００１９】
以下、実施の形態により本発明を詳しく説明するが、本発明はこれに限定されるものではない。
【００２０】
以下に、本実施の形態に係る光ディスク用レンズについて、図１及び図２を用いて説明する。
【００２１】
図１は、本実施の形態に係る光ディスク用レンズ１０の形状を示す６面図である。同図（ａ）は正面図、同図（ｂ）は右側面図、同図（ｃ）は背面図、同図（ｄ）は平面図、同図（ｅ）は左側面図、同図（ｆ）は底面図、を示している。
【００２２】
図２は、図１に示すＡ−Ａ線で切断した本実施の形態に係る光ディスク用レンズ１０の断面図である。
【００２３】
図１、図２に示す光ディスク用レンズ１０は、０．８以上、０．９以下のＮＡ値を有した単玉レンズである。
【００２４】
光ディスク用レンズ１０は、光源側に形成された光学機能面である第１面１と、光ディスク側に形成された光学機能面である第２面２と、この第１面１と第２面２の周囲にフランジ部３が形成されている。この光学機能面である第１面は、４ｍｍ前後の直径を有している。
【００２５】
図示のように、フランジ部３には、第１面１側に光軸Ｏに対し垂直な面３ａ、第２面２側に光軸Ｏに対し垂直な２つの面３ｃ、３ｄが形成されている。
【００２６】
図２に示すように、フランジ部３に形成された面のうち、第１面１に連なる面３ａと第２面２に連なる面３ｃの光軸方向の厚さをｔ１とし、その周囲外側に配置された面３ａと３ｄの光軸方向の厚さをｔ２としたとき、ｔ１＞ｔ２、を満足するように形成されている。
【００２７】
また、第１面１と、第１面１に連なるフランジ部３に形成された面３ａとの間には、凹部４が形成されている。この凹部４の深さＣは、０．０１ｍｍ〜０．１５ｍｍに形成されていることが好ましい。このようにすることで、第１面１に対応する金型とフランジ部３の２つの面３ａ、３ｂに対応する金型を分離して形成した際の型合わせが容易となる。
【００２８】
このように、第２面２側に、光軸に対し垂直な２つの面を形成し、第１面１及び第２面２に連なるフランジ部３の面３ａと３ｃの光軸方向の厚さを、その周囲に配置されたフランジ部３の面３ａと３ｄの光軸方向の厚さよりも厚く形成することで、射出成形時の樹脂の流動性を良好にでき、光学機能面である第１面１と第２面２の転写性を向上させることができ、面精度の良好な単玉の光ディスク用レンズを得ることが可能となる。
【００２９】
以下に、本実施の形態に係る光ディスク用レンズ１０の別の例について、図３及び図４を用いて説明する。
【００３０】
図３は、本実施の形態に係る光ディスク用レンズ１０の別の形状を示す６面図である。同図（ａ）は正面図、同図（ｂ）は右側面図、同図（ｃ）は背面図、同図（ｄ）は平面図、同図（ｅ）は左側面図、同図（ｆ）は底面図、を示している。
【００３１】
図４は、図３に示す光ディスク用レンズ１０をＢ−Ｂ線で切断した断面図である。
【００３２】
図３、図４に示す光ディスク用レンズ１０は、図１、図２に示した光ディスク用レンズ１０と大部分が同形状であり同符号を付与して重複した説明を避け、異なる部分についてのみ説明する。
【００３３】
図３に示す光ディスク用レンズ１０は、図４の断面図で示すように、第１面１と、フランジ部３の面３ａとの間に凹部を形成せず、それぞれの延長線で連続的に形成されている。なお、第１面１の延長線とフランジ部３の面３ａの延長線の交点近傍では、微小な角Ｒで連なるように形成してもよい。
【００３４】
この図３、図４に示すような光ディスク用レンズ１０の形状でも、図１、図２に示した光ディスク用レンズ１０と同様の効果を得ることができる。
【００３５】
図５は、本実施の形態に係る光ディスク用レンズ１０が、ピックアップ装置に懸架された状態を示す模式断面図である。同図は、図１、図２で示した光ディスク用レンズ１０が懸架された状態を示している。
【００３６】
同図に示すように、光ディスク用レンズ１０は、光源側に配置される第１面１に連なるフランジ部３の面３ａが、保持部材であるボビン３０と接合され、光軸Ｏ方向の位置決めがなされ、固定されている。
【００３７】
一方、光ディスク側に配置される第２面２の側のフランジ部３に形成された面３ｄには、衝撃緩衝部材２０が設けられている。この衝撃緩衝部材２０には、例えばポリエチレンシート等が用いられ、アクリル系粘着テープ等で面３ｄに貼付固定されている。
【００３８】
この衝撃緩衝部材２０の光ディスク側の高さは、同図に破線で示したように、第２面２より高くなるように形成されている。このように、衝撃緩衝部材２０を、光ディスクに対し最も近接させるよう構成することにより、光ディスクとの間の距離であるワーキングディスタンスが非常に小さくなり、振動等の外乱で、光ディスクと接触した場合でも、緩衝作用により光ディスク及び光ディスク用レンズ１０の双方に対しキズ等の問題を回避させることが可能となる。
【００３９】
また、衝撃緩衝部材２０を貼付ける場合、第１面１の光学機能面の径を１としたとき、フランジ部３の最大径は１．３５〜１．８５程度に形成されていることが好ましい。このような比率に形成することで適切な大きさの衝撃緩衝部材２０を問題なく貼付けることができる。この比率範囲の下限を下回ると、衝撃緩衝部材２０を貼るスペースが細くなりすぎ、この比率範囲の上限を越えると、無用に大きな直径のレンズとなり質量も増加し好ましくない。
【００４０】
なお、この衝撃緩衝部材２０は、リング状に形成され貼付けられたものであっても良いし、フランジ部３の面３ｄの一部に貼付けられたものであってもよい。
【００４１】
図６は、本実施の形態に係る光ディスク用レンズ１０が、ピックアップ装置に懸架された状態の別の例を示す模式断面図である。
【００４２】
同図については、図５に示した模式断面図と大部分が同じであり同符号を付与して重複した説明を避け、異なる部分についてのみ説明する。
【００４３】
図５と同様に、光ディスク用レンズ１０は、光源側に配置される第１面１に連なるフランジ部３の面３ａが、保持部材であるボビン３０と接合され、光軸Ｏ方向の位置決めがなされ、固定されている。
【００４４】
一方、光ディスク側に配置される第２面２の側のフランジ部３に形成された面３ｃには、衝撃緩衝部材２１が設けられている。この衝撃緩衝部材２１には、例えばウレタンゴム等が塗布により形成されている。
【００４５】
この衝撃緩衝部材２１の光ディスク側の高さは、同図に破線で示したように、第２面２より高くなるように形成されている。このようにしても、同様に光ディスクとの間の距離であるワーキングディスタンスが非常に小さくなり、振動等の外乱で、光ディスクと接触した場合でも、緩衝作用により光ディスク及び光ディスク用レンズ１０の双方に対しキズ等の問題を回避させることが可能となる。
【００４６】
なお、この衝撃緩衝部材２１は、リング状に塗布されたものであっても良いし、フランジ部３の面３ｃの一部に塗布されたものであってもよい。
【００４７】
また、上記のピックアップ装置に懸架された状態は、図１、図２に示す光ディスク用レンズ１０を用いて説明したが、図３、図４に示す光ディスク用レンズ１０を用いた場合でも同様であるのは言うまでもない。
【図面の簡単な説明】
【００４８】
【図１】本実施の形態に係る光ディスク用レンズの形状を示す６面図である。
【図２】図１に示すＡ−Ａ線で切断した本実施の形態に係る光ディスク用レンズの断面図である。
【図３】本実施の形態に係る光ディスク用レンズの別の形状を示す６面図である。
【図４】図３に示す光ディスク用レンズをＢ−Ｂ線で切断した断面図である。
【図５】本実施の形態に係る光ディスク用レンズが、ピックアップ装置に懸架された状態を示す模式断面図である。
【図６】本実施の形態に係る光ディスク用レンズが、ピックアップ装置に懸架された状態の別の例を示す模式断面図である。
【符号の説明】
【００４９】
１  第１面（光学機能面）
２  第２面（光学機能面）
３  フランジ部
４  凹部
１０  光ディスク用レンズ
２０、２１  衝撃緩衝部材
３０  ボビン
Ｏ  光軸
【図１】
2007334930.tif 000003
【図２】
2007334930.tif 000004
【図３】
2007334930.tif 000005
【図４】
2007334930.tif 000006
【図５】
2007334930.tif 000007
【図６】
2007334930.tif 000008